(57)【要約】      （修正有）【課題】被診断装置の動作時の音や振動等の計測対象を計測して故障等の異常を特定する際に、容易にその特定を行うことができる異常診断用装置等を提供する。【解決手段】異常診断用装置は、異常の有無を診断される被診断装置の動作時における計測対象を時間経過と共に計測する計測手段と、被診断装置の所定の動作状態を示す同期情報に基づいて、計測手段により得られた計測データを被診断装置の動作と時間的に同期させた状態で取り扱う制御手段と、を備えている。【選択図】図５
2019110392.tif 000002
【特許請求の範囲】
【請求項１】
異常の有無を診断される被診断装置の動作時における計測対象を時間経過と共に計測する計測手段と、
前記被診断装置の所定の動作状態を示す同期情報に基づいて、前記計測手段により得られた計測データを前記被診断装置の動作と時間的に同期させた状態で取り扱う制御手段と、
を備えたことを特徴とする異常診断用装置。
【請求項２】
前記同期情報は前記被診断装置の動作開始を示す情報である請求項１に記載の異常診断用装置。
【請求項３】
前記同期情報は、異常診断用装置が前記計測対象を計測可能な待機状態であることを確認した前記被診断装置から、動作開始に際して出力された動作開始情報であり、
前記動作開始情報を受け取る受取手段を備え、
前記受取手段による前記動作開始情報の受け取りを契機として、前記計測手段は計測を開始し、前記制御手段は、計測の開始を前記被診断装置の動作開始として取り扱う請求項２に記載の異常診断用装置。
【請求項４】
前記同期情報は、前記被診断装置からの動作開始の要求に応答して異常診断用装置で作成され被診断装置へ送信された、動作開始を指示する動作開始指示情報であり、
前記被診断装置は前記動作開始指示情報により動作を開始し、
前記計測手段は前記動作開始指示情報の送信を契機として計測を開始し、前記制御手段は、計測の開始を前記被診断装置の動作開始として取り扱う請求項２に記載の異常診断用装置。
【請求項５】
前記同期情報は前記被診断装置の動作部品の所定の動作状態を示す情報である請求項１に記載の異常診断用装置。
【請求項６】
前記同期情報は、前記被診断装置の動作開始から予め設定された時間毎に被診断装置から送られる予め設定された動作部品の動作状態を示す情報であり、
前記同期情報を受け取る受取手段を備え、
前記制御手段は、前記受取手段により同期情報が受け取られる毎に、前記動作部品の動作と計測データを関連付ける請求項５に記載の異常診断用装置。
【請求項７】
前記同期情報は、前記被診断装置の予め設定された動作部品の動作の変化を一義的に把握できる動作状態を示す情報であり、
前記同期情報を受け取る受取手段を備え、
前記制御手段は、前記受取手段により同期情報が受け取られたときに、前記動作部品の動作と計測データを関連付ける請求項５に記載の異常診断用装置。
【請求項８】
前記制御手段は、前記同期情報で示される被診断装置の動作状態を前記計測データに関連付けて記憶し、かつ記憶した計測データと動作状態を出力可能である請求項１〜７の何れかに記載の異常診断用装置。
【請求項９】
前記制御手段は、前記同期情報で示される被診断装置の動作部品の所定時間毎の動作状態を前記計測データに関連付けて記憶し、かつ記憶した計測データと動作状態を出力可能である請求項５〜７の何れかに記載の異常診断用装置。
【請求項１０】
表示手段を備え、
前記制御手段は、操作者が異常箇所を特定可能な態様で、前記計測データと被診断装置の動作状態とを同期させて前記表示手段に表示する請求項１〜９の何れかに記載の異常診断用装置。
【請求項１１】
タッチ操作可能な表示手段を備え、
前記制御手段は、前記計測データを前記表示手段に表示すると共に、表示された前記計測データの異常箇所を操作者がタッチした時に、計測データのタッチされた部位に対応する被診断装置の動作状態を前記表示手段に表示する請求項１〜９の何れかに記載の異常診断用装置。
【請求項１２】
時間経過と共に変化する被診断装置の動作進行状態を算出するための算出式に用いられる設定値を、前記被診断装置から受け取る受取手段を備え、
前記制御手段は、前記部品の動作状態と計測データとともに、前記受取手段で受け取られた設定値を用いて前記算出式で算出される被診断装置の動作進行状態をも関連付けて取り扱う請求項１〜１１の何れかに記載の異常診断用装置。
【請求項１３】
表示手段を備え、
前記制御手段は、前記計測データと動作状態と動作進行状態を同期させて前記表示手段に表示する請求項１２に記載の異常診断用装置。
【請求項１４】
異常データを蓄積するデータベースに前記計測データと被診断装置の動作状態とを送信する送信手段と、
前記計測データと被診断装置の動作状態に基づいて異常要因候補を抽出した前記データベース装置から送信される、前記異常要因候補を受信する受信手段を備え、
前記制御手段は、前記受信手段により受信した異常要因候補を前記計測データ及び動作状態と関連付けて取り扱う請求項１〜１３の何れかに記載の異常診断用装置。
【請求項１５】
表示手段を備え、
前記制御手段は、前記計測データと動作状態と異常要因候補を同期させて前記表示手段に表示する請求項１４に記載の異常診断用装置。
【請求項１６】
前記異常診断用装置は携帯端末装置であり、前記被診断装置は画像形成装置であり、前記動作は前記画像形成装置の画像形成動作であり、前記計測対象は音又は振動の少なくともいずれかである請求項１〜１５の何れかに記載の異常診断用装置。
【請求項１７】
異常の有無を診断される被診断装置の動作時における計測対象を時間経過と共に計測する計測手段と、
前記被診断装置の所定の動作状態を示す同期情報に基づいて、前記計測手段により得られた計測データを前記被診断装置の動作と時間的に同期させた状態で取り扱う制御手段と、
を備えたことを特徴とする携帯端末装置。
【請求項１８】
異常の有無を診断される被診断装置と、この被診断装置と通信可能な請求項１〜１６の何れかに記載の異常診断用装置とを備え、
前記被診断装置と異常診断用装置との間で、被診断装置の所定の動作状態を示す同期情報を送受信し、
前記携帯端末装置は、
前記被診断装置の動作時における計測対象を時間経過と共に計測する計測手段と、
前記被診断装置からの前記同期情報を受信する受信手段と、
前記受信手段により受信された前記同期情報に基づいて、前記計測手段により得られた計測データを前記被診断装置の動作と時間的に同期させた状態で取り扱う制御手段と、
を備えたことを特徴とする異常診断用システム。
【請求項１９】
異常の有無を診断される被診断装置の動作時における計測対象を時間経過と共に計測する計測手段を備えた異常診断用装置のコンピュータに、
前記被診断装置の所定の動作状態を示す同期情報に基づいて、前記計測手段により得られた計測データを前記被診断装置の動作と時間的に同期させた状態で取り扱う制御ステップを実行させるためのプログラム。
【発明の詳細な説明】
【技術分野】
【０００１】
この発明は、画像形成装置等の被診断装置の故障等の動作異常を診断するのに用いられる異常診断用装置、携帯端末装置、異常診断用システム及びプログラムに関する。
【背景技術】
【０００２】
多機能デジタル画像形成装置であるＭＦＰ（Multi Function Peripheral）等の画像形成装置やその他の装置では、故障等の異常が発生していると動作時に異常音が発生する。
【０００３】
このような異常音は、動作中のある特定のタイミングで周期的に発生したり、動作状態の微妙な条件の違いで発生したりしなかったりすることも多く、異常個所の特定を計測した音のみで行うことが困難な場合も多い。例えば、駆動部などの摺動性の劣化時に、用紙が曲率の高い通紙経路搬送時や排出時の押し出し時など、摺動部の負荷が増加するタイミングなどで摺動音が突然発生することがある。同じ負荷のタイミングで発生しやすいが、摺動部の状態がかわると再現しなくなる場合も多い。また、用紙が特定の通紙経路上の異常部（例えば、用紙搬送ガイドのめくれ、紙残り、サバキローラの摩耗）を通過する状態で摩擦音が異音となる場合もあり、特に用紙の先端／後端タイミングなどで発生することも多い。さらには、後処理装置など、動作中に各動作部が短時間で動作する場合などの摺動音は、そのタイミング時のみ発生するものとなる。
【０００４】
従来、画像形成装置の動作時の音を、サービスマンやユーザーの携帯端末装置を使用して計測し、その計測データから異音の発生している異常箇所を特定する方法が提案されている。（例えば特許文献１）。
【先行技術文献】
【特許文献】
【０００５】
【特許文献１】特開２０１７−１１６４７３号公報
【発明の概要】
【発明が解決しようとする課題】
【０００６】
しかしながら、上述した特許文献１に記載された技術では、次のような問題があった。
【０００７】
即ち、特許文献１に記載された技術は、携帯端末装置により画像形成装置の異常音を計測し、その周波数解析結果の類似波形との比較で異常個所を判断するものであるが、異常音の箇所はわかっても、動作している動作部分の動作状態や用紙の位置がわかるセンサなどのタイミング情報がわからないと、実際上特定することが容易でない。特許文献１に記載された技術では、要因毎の異常な状態の波形との比較で、異常個所を特定しているが、画像形成装置の条件により異常発生のタイミングが異なったり、発生したりしなかったりする場合もあることを考慮すると、波形比較だけでは異常箇所を十分に特定することが困難である、という問題がある。
【０００８】
この発明はこのような技術的背景に鑑みてなされたものであって、被診断装置の動作時の音や振動等の計測対象を計測して故障等の異常を特定する際に、容易にその特定を行うことができる異常診断用装置、携帯端末装置、異常診断用システム及びプログラムの提供を課題とする。
【課題を解決するための手段】
【０００９】
上記課題は、以下の手段によって解決される。
（１）異常の有無を診断される被診断装置の動作時における計測対象を時間経過と共に計測する計測手段と、前記被診断装置の所定の動作状態を示す同期情報に基づいて、前記計測手段により得られた計測データを前記被診断装置の動作と時間的に同期させた状態で取り扱う制御手段と、を備えたことを特徴とする異常診断用装置。
（２）前記同期情報は前記被診断装置の動作開始を示す情報である前項１に記載の異常診断用装置。
（３）前記同期情報は、異常診断用装置が前記計測対象を計測可能な待機状態であることを確認した前記被診断装置から、動作開始に際して出力された動作開始情報であり、前記動作開始情報を受け取る受取手段を備え、前記受取手段による前記動作開始情報の受け取りを契機として、前記計測手段は計測を開始し、前記制御手段は、計測の開始を前記被診断装置の動作開始として取り扱う前項２に記載の異常診断用装置。
（４）前記同期情報は、前記被診断装置からの動作開始の要求に応答して異常診断用装置で作成され被診断装置へ送信された、動作開始を指示する動作開始指示情報であり、前記被診断装置は前記動作開始指示情報により動作を開始し、前記計測手段は前記動作開始指示情報の送信を契機として計測を開始し、前記制御手段は、計測の開始を前記被診断装置の動作開始として取り扱う前項２に記載の異常診断用装置。
（５）前記同期情報は前記被診断装置の動作部品の所定の動作状態を示す情報である前項１に記載の異常診断用装置。
（６）前記同期情報は、前記被診断装置の動作開始から予め設定された時間毎に被診断装置から送られる予め設定された動作部品の動作状態を示す情報であり、前記同期情報を受け取る受取手段を備え、前記制御手段は、前記受取手段により同期情報が受け取られる毎に、前記動作部品の動作と計測データを関連付ける前項５に記載の異常診断用装置。
（７）前記同期情報は、前記被診断装置の予め設定された動作部品の動作の変化を一義的に把握できる動作状態を示す情報であり、前記同期情報を受け取る受取手段を備え、前記制御手段は、前記受取手段により同期情報が受け取られたときに、前記動作部品の動作と計測データを関連付ける前項５に記載の異常診断用装置。
（８）前記制御手段は、前記同期情報で示される被診断装置の動作状態を前記計測データに関連付けて記憶し、かつ記憶した計測データと動作状態を出力可能である前項１〜７の何れかに記載の異常診断用装置。
（９）前記制御手段は、前記同期情報で示される被診断装置の動作部品の所定時間毎の動作状態を前記計測データに関連付けて記憶し、かつ記憶した計測データと動作状態を出力可能である前項５〜７の何れかに記載の異常診断用装置。
（１０）表示手段を備え、前記制御手段は、操作者が異常箇所を特定可能な態様で、前記計測データと被診断装置の動作状態とを同期させて前記表示手段に表示する前項１〜９の何れかに記載の異常診断用装置。
（１１）タッチ操作可能な表示手段を備え、前記制御手段は、前記計測データを前記表示手段に表示すると共に、表示された前記計測データの異常箇所を操作者がタッチした時に、計測データのタッチされた部位に対応する被診断装置の動作状態を前記表示手段に表示する前項１〜９の何れかに記載の異常診断用装置。
（１２）時間経過と共に変化する被診断装置の動作進行状態を算出するための算出式に用いられる設定値を、前記被診断装置から受け取る受取手段を備え、前記制御手段は、前記部品の動作状態と計測データとともに、前記受取手段で受け取られた設定値を用いて前記算出式で算出される被診断装置の動作進行状態をも関連付けて取り扱う前項１〜１１の何れかに記載の異常診断用装置。
（１３）表示手段を備え、前記制御手段は、前記計測データと動作状態と動作進行状態を同期させて前記表示手段に表示する前項１２に記載の異常診断用装置。
（１４）異常データを蓄積するデータベースに前記計測データと被診断装置の動作状態とを送信する送信手段と、前記計測データと被診断装置の動作状態に基づいて異常要因候補を抽出した前記データベース装置から送信される、前記異常要因候補を受信する受信手段を備え、前記制御手段は、前記受信手段により受信した異常要因候補を前記計測データ及び動作状態と関連付けて取り扱う前項１〜１３の何れかに記載の異常診断用装置。
（１５）表示手段を備え、前記制御手段は、前記計測データと動作状態と異常要因候補を同期させて前記表示手段に表示する前項１４に記載の異常診断用装置。
（１６）前記異常診断用装置は携帯端末装置であり、前記被診断装置は画像形成装置であり、前記動作は前記画像形成装置の画像形成動作であり、前記計測対象は音又は振動の少なくともいずれかである前項１〜１５の何れかに記載の異常診断用装置。
（１７）異常の有無を診断される被診断装置の動作時における計測対象を時間経過と共に計測する計測手段と、前記被診断装置の所定の動作状態を示す同期情報に基づいて、前記計測手段により得られた計測データを前記被診断装置の動作と時間的に同期させた状態で取り扱う制御手段と、を備えたことを特徴とする携帯端末装置。
（１８）異常の有無を診断される被診断装置と、この被診断装置と通信可能な前項１〜１６の何れかに記載の異常診断用装置とを備え、前記被診断装置と異常診断用装置との間で、被診断装置の所定の動作状態を示す同期情報を送受信し、前記携帯端末装置は、前記被診断装置の動作時における計測対象を時間経過と共に計測する計測手段と、前記被診断装置からの前記同期情報を受信する受信手段と、前記受信手段により受信された前記同期情報に基づいて、前記計測手段により得られた計測データを前記被診断装置の動作と時間的に同期させた状態で取り扱う制御手段と、を備えたことを特徴とする異常診断用システム。
（１９）異常の有無を診断される被診断装置の動作時における計測対象を時間経過と共に計測する計測手段を備えた異常診断用装置のコンピュータに、前記被診断装置の所定の動作状態を示す同期情報に基づいて、前記計測手段により得られた計測データを前記被診断装置の動作と時間的に同期させた状態で取り扱う制御ステップを実行させるためのプログラム。
【発明の効果】
【００１０】
前項（１）に記載の発明によれば、被診断装置の所定の動作状態を示す同期情報に基づいて、計測手段により得られた計測データが被診断装置の動作と時間的に同期した状態で取り扱われるから、操作者は、故障による異常音や異常振動等がどの動作状態の時に発生しているかを容易に特定し把握することができる。
【００１１】
前項（２）に記載の発明によれば、同期情報は被診断装置の動作開始を示す情報であるから、計測対象の計測の開始と被診断装置の動作開始を的確かつ容易に同期させることができる。
【００１２】
前項（３）に記載の発明によれば、同期情報は、異常診断用装置が計測対象を計測可能な待機状態であることを確認した被診断装置から、動作開始に際して出力された動作開始情報であり、この動作開始情報の受け取りを契機として、計測手段は計測を開始し、計測の開始が被診断装置の動作開始として取り扱われるから、異常診断用装置及び被診断装置ともに準備が整った状態で、異常診断用装置による計測及び被診断装置の動作を開始することができる。
【００１３】
前項（４）に記載の発明によれば、同期情報は、被診断装置からの動作開始指示の要求に応答して異常診断用装置で作成され被診断装置へ送信された、動作開始を指示する動作開始指示情報であり、この動作開始指示情報に基づいて被診断装置は動作を開始し、異常診断用装置は計測を開始し、計測の開始が被診断装置の動作開始として取り扱われるから、計測対象の計測の開始と被診断装置の動作開始を的確かつ容易に同期させることができる。
【００１４】
前項（５）に記載の発明によれば、同期情報は被診断装置の動作部品の所定の動作状態を示す情報であるから、動作部品の所定の動作状態を示す情報に基づいて、計測手段により得られた計測データを被診断装置の動作と時間的に同期させることができる。
【００１５】
前項（６）に記載の発明によれば、同期情報は、被診断装置の動作開始から予め設定された時間毎に被診断装置から送られる予め設定された動作部品の動作状態を示す情報であり、同期情報が受け取られる毎に、部品の動作と計測データとが関連付けられるから、計測データを被診断装置の動作と時間的に同期させることができる。
【００１６】
前項（７）に記載の発明によれば、同期情報は、被診断装置の予め設定された動作部品の動作の変化を一義的に把握できる動作状態を示す情報であり、同期情報が受け取られたときに、動作部品の動作と計測データが関連付けられるから、計測データを被診断装置の動作と時間的に同期させることができる。
【００１７】
前項（８）に記載の発明によれば、同期情報で示される被診断装置の動作状態が計測データに関連付けて記憶され、かつ記憶された計測データと動作状態を出力可能であるから、例えば計測データと動作状態を表示手段に表示したり、他の管理装置で管理したりすることができ、操作者は故障による異常音や異常振動等がどの動作状態の時に発生しているかを容易に把握することができる。
【００１８】
前項（９）に記載の発明によれば、同期情報で示される被診断装置の動作部品の所定時間毎の動作状態が計測データに関連付けて記憶されるから、例えば計測データと動作状態を表示手段に表示したり、他の管理装置で管理したりすることができ、操作者は故障による異常音や異常振動等がどの動作状態の時に発生しているかを容易に把握することができる。
【００１９】
前項（１０）に記載の発明によれば、操作者が異常箇所を特定可能な態様で、計測データと被診断装置の動作状態とが同期して表示手段に表示されるから、操作者は故障による異常音や異常振動等がどの動作状態の時に発生しているかを容易に把握することができる。
【００２０】
前項（１１）に記載の発明によれば、表示手段に表示された計測データの異常箇所を操作者がタッチした時に、計測データのタッチされた部位に対応する被診断装置の動作状態が表示手段に表示されるから、操作者は故障による異常音や異常振動等がどの動作状態の時に発生しているかを容易に把握することができる。
【００２１】
前項（１２）に記載の発明によれば、時間経過と共に変化する被診断装置の動作進行状態を算出するための算出式で算出される被診断装置の動作進行状態が、部品の動作状態と計測データとともに関連付けられるから、操作者は、被診断装置の動作進行状態も把握することができる。
【００２２】
前項（１３）に記載の発明によれば、計測データと動作状態と動作進行状態が同期して表示手段に表示されるから、操作者は画面上で被診断装置の動作進行状態を把握することができる。
【００２３】
前項（１４）に記載の発明によれば、データベース装置から送信された異常要因候補が計測データ及び動作状態と関連付けられるから、操作者は異常要因候補を認識することができる。
【００２４】
前項（１５）に記載の発明によれば、計測データと動作状態と異常要因候補が同期して表示手段に表示されるから、操作者は画面上で異常要員候補を把握することができる。
【００２５】
前項（１６）に記載の発明によれば、操作者は、故障等による異常音や異常振動等が画像形成装置のどの動作状態の時に発生しているかを、携帯端末装置により容易に把握することができる。
【００２６】
前項（１７）に記載の発明によれば、操作者は、故障等による異常音や異常振動等が被診断装置のどの動作状態の時に発生しているかを容易に把握することができる携帯端末装置を提供できる。
【００２７】
前項（１８）に記載の発明によれば、故障等による異常音や異常振動等が被診断装置のどの動作状態の時に発生しているかを容易に把握することができる異常診断用システムを提供できる。
【００２８】
前項（１９）に記載の発明によれば、異常の有無を診断される被診断装置の動作時における計測対象を時間経過と共に計測する計測手段を備えた異常診断用装置のコンピュータに、被診断装置の所定の動作状態を示す同期情報に基づいて、計測手段により得られた計測データを被診断装置の動作と時間的に同期させた状態で取り扱う制御ステップを実行させることができる。
【図面の簡単な説明】
【００２９】
【図１】この発明の一実施形態に係る異常診断用装置が用いられた異常診断用システムの構成図である。
【図２】画像形成装置の構成の一例を示すブロック図である。
【図３】携帯端末装置の制御構成の一例を示すブロック図である。
【図４】従来の携帯端末装置での計測データの表示画面の一例を示す。
【図５】携帯端末装置による計測データと画像形成装置の動作とを同期させる方法の一例を説明するための図である。
【図６】図５で説明したような画像形成装置から携帯端末装置に送信される、同期情報としての画像形成動作の開始情報に基づいて、携帯端末装置による計測データと画像形成装置の画像形成動作を同期させる場合の、画像形成装置の処理を説明するためのフローチャートである。
【図７】図５で説明したようなＭＦＰ１００から携帯端末１２０に送信される、同期情報としての画像形成動作の開始情報に基づいて、計測データとＭＦＰ１００の動作を同期させる処理を行う場合の、携帯端末１２０の処理を説明するためのフローチャートである。
【図８】携帯端末１２０による計測データとＭＦＰ１００の動作とを同期させる方法の他の例を説明するための図である。
【図９】図８で説明したような携帯端末１２０からＭＦＰ１００に送信される、同期情報としての画像形成動作の開始指示情報に基づいて、携帯端末１２０による計測データとＭＦＰ１００の画像形成動作を同期させる場合の、ＭＦＰ１００の処理を説明するためのフローチャートである。
【図１０】図８で説明したような携帯端末１２０からＭＦＰ１００に送信される、同期情報としての画像形成動作の開始指示情報に基づいて、計測データとＭＦＰ１００の動作を同期させる処理を行う場合の、携帯端末１２０の処理を説明するためのフローチャートである。
【図１１】携帯端末１２０による計測データとＭＦＰ１００の動作とを同期させる方法のさらに他の例を説明するための図である。
【図１２】ＭＦＰ１００が動作部品の動作状態を示す情報を携帯端末１２０に送信する場合のデータ構成を示す図である。
【図１３】図１１で説明したようなＭＦＰ１００から携帯端末１２０に送信される、同期情報としての複数の動作部品の動作状態を示す情報に基づいて、携帯端末１２０による計測データとＭＦＰ１００の画像形成動作を同期させる場合の、ＭＦＰ１００の処理を説明するためのフローチャートである。
【図１４】図１１で説明したようなＭＦＰ１００から携帯端末１２０に送信される、同期情報としての複数の動作部品の動作状態を示す情報に基づいて、携帯端末１２０による計測データとＭＦＰ１００の画像形成動作を同期させる場合の、携帯端末１２０の処理を説明するためのフローチャートである。
【図１５】図１１で説明した例において、動作状態についての情報を携帯端末１２０に送信する対象となる動作部品の選定方法を説明するための表である。
【図１６】携帯端末１２０による計測データとＭＦＰ１００の動作とを同期させる方法のさらに他の例を説明するための図である。
【図１７】携帯端末１２０により得られる計測データと、ＭＦＰ１２０の動作部品の動作状態との関連付方法の一例を示す図である。
【図１８】（Ａ）〜（Ｂ）は、関連付けた計測データとＭＦＰ１２０の動作部品の動作状態の取り扱いの一例を示す図である。
【図１９】携帯端末１２０により得られる計測データと、ＭＦＰ１２０の動作部品の動作状態との関連付方法の他の例を示す図である。
【図２０】携帯端末１２０により得られる計測データと、ＭＦＰ１２０の動作部品の動作状態を、時間変化に応じて表示する方法の一例を示す図である。
【図２１】携帯端末１２０により得られる計測データと、ＭＦＰ１２０の動作部品の動作状態を、時間変化に応じて表示する方法の他の例を示す図である。
【図２２】ＭＦＰ１００の動作部品の動作状態に追加して、画像形成動作の信号状態、例えば用紙の位置情報や機構部の動作を算出するための算出式をも関連付けて取り扱う場合の一例を示す図である。
【図２３】計測データとＭＦＰ１００の動作部品の動作状態に追加して、用紙位置情報や機構部の動作状態を表示する方法の一例を示す図である。
【図２４】（Ａ）（Ｂ）は、計測データと動作部品の動作状態との関連付に基づいて、故障要因を判定し表示する方法の一例を示す図である。
【図２５】故障要因箇所の表示例を示す図である。
【発明を実施するための形態】
【００３０】
以下、この発明の実施形態を図面に基づいて説明する。
【００３１】
図１は、この発明の一実施形態に係る異常診断用装置が用いられた異常診断用システムの構成図である。この実施形態では、異常診断用システムは、異常の有無の診断を受ける被診断装置としての画像形成装置１００と携帯端末装置１２０とを備え、これらは相互にネットワークを介して、あるいは無線通信により直接に通信可能となっている。
【００３２】
画像形成装置１００として、この実施形態ではスキャナー機能、コピー機能、ファクシミリ機能、ネットワーク機能、BOX機能といった複数の機能が搭載された多機能デジタル複合機（ＭＦＰ：Multi  Function Peripheral)が用いられている。なお、被診断装置は画像形成装置に限定されるものではない。また、以下の説明では画像形成装置をＭＦＰともいう。
【００３３】
ＭＦＰ１００は、図１に示すように、原稿を光学的に読取って画像データを得るスキャナー部２と、画像データに基づいて用紙上に画像を印刷するプリントエンジン部６とを含む。ＭＦＰ１００の本体上面には、スキャナー部２に読取る原稿を送るフィーダ４が配置され、プリントエンジン部６の上面には画像を形成された用紙が排出されるトレー８を有する。ＭＦＰ１００の本体上部の前面側（ユーザが対向する側）には、表示面を有する操作パネル装置１が装着されている。操作パネル装置１は、ＭＦＰ１００を操作するための装置である。操作パネル装置１は、ユーザーからの各種指示、数字、文字、記号といった入力などの操作を受け付けるための複数のキーと、表示装置とを含む。表示装置は、入力機能にタッチパネルを使用し、ユーザー操作に応答した各種情報及び各種操作を受付るためのメニュー画面などをユーザーに対して表示するとともに、ユーザーのタッチ操作した位置を取得し、取得位置に応じた入力情報を取得する。
【００３４】
これらＭＦＰ１００の内部には、図示しない駆動モーターやクラッチやセンサなどの動作手段が構成されており、それぞれを各動作のタイミングに従って、動作制御したり、モニタすることで一連の画像形成動作を行っている。このような動作の中で、各部において、故障による動作不良や寿命、環境などによる劣化での動作不良や用紙など稼働状態の不具合で、異音や振動が発生することがあり、それらを外部から音や振動を計測し、異常個所を特定することが必要となる。
【００３５】
図２はＭＦＰ１００の構成の一例を示すブロック図である。ＭＦＰ１００は、システムコントローラ１０１、メモリ１０２、通信部１０３、プリンターエンジン１０４、出力画像処理部１０５、記憶装置１０６、撮像部１０７、入力画像処理部１０８、操作パネル１１１を含んでいる。
【００３６】
システムコントローラ１０１には、メモリ１０２、通信部１０３、プリンターエンジン１０４、出力画像処理部１０５、記憶装置１０６、撮像部１０７、および入力画像処理部１０８、操作パネル１１１が接続されている。
【００３７】
システムコントローラ１０１は、スキャナジョブ、コピージョブ、メール送信ジョブ、およびプリントジョブなどの各種ジョブについて、ＭＦＰ１００全体の制御を行う。システムコントローラ１０１は、ＣＰＵ（Central Processing Unit)１１０と、ＲＯＭ(Read Only Memory)１０９などからなっている。ＣＰＵ１１０は、ＲＯＭ１０９に記憶された制御プログラムを実行する。ＲＯＭ１０９は、ＭＦＰ１００の動作を行うための各種プログラムと、各種固定データとを格納している。システムコントローラ１０１は、所定の処理を行うことにより、メモリ１０２からのデータの読み込みや、メモリ１０２へのデータの書き込みを行う。
【００３８】
メモリ１０２はＲＡＭ(Random Access Memory)であり、ＣＰＵ１１０が制御プログラムを実行するときに必要なデータや画像データを一時的に記憶するためなどに用いられる。
【００３９】
通信部１０３は、システムコントローラ１０１からの指示に従って、ネットワークを介して外部機器との通信を行ったり、無線通信で携帯端末などと通信を行う。本発明の携帯端末との各種情報のやりとりやタイミング情報のやりとりは、この部分で行う。プリンターエンジン１０４は、出力画像処理部１０５にて処理された印刷データに基づいて用紙などへのプリント処理を行う。特にＭＦＰ１００がプリンターとして動作する場合、プリンターエンジン１０４は画像を印刷し、ＭＦＰ１００が複写機として動作する場合、プリンターエンジン１０４は、撮像部１０７で読み取った画像を印刷する。
【００４０】
出力画像処理部１０５は、画像の印刷を行う場合などに、その画像データの形式を印刷データに変換する変換処理を行う。
【００４１】
記憶装置１０６はたとえばＨＤＤ(Hard Disc  Drive)であり、ＭＦＰ１００の動作に関わる各種データを記憶する。さらに記憶装置１０６は、ＭＦＰ１００の操作パネル１１１に表示する画面の画像データを記憶している。撮像部１０７は、原稿の画像を読み取る。入力画像処理部１０８は、撮像部で画像を読み取った場合などに、その画像データの形式を変換する変換処理を行う。
【００４２】
図３は携帯端末装置１２０の制御構成の一例を示すブロック図である。以下、携帯端末装置を単に携帯端末ともいう。
【００４３】
携帯端末１２０は、例えばスマートフォンやタブレット端末等であっても良く、システム制御部１２１を有し、このシステムＣＰＵ１２１に記憶部１２２、通信部１２３、表示部１２４、入力部１２５、計測部１２６が接続されており、これらの制御をシステムＣＰＵ１２１が行う。記憶部１２２はメモリ等各種の処理でのデータの一時的な保存等を行い、さらにこの実施形態では計測データの保管などを行う。
【００４４】
通信部１２３は、wifiやBlueTooth（登録商標）などの無線通信を行う部分であり、ＭＦＰ１００との情報のやりとりやタイミング情報のやりとりを行ったり、故障管理等行うセンターの管理装置との通信も行う。表示部１２４は、ＬＣＤ等画像表示を行う部分であり、計測データや動作部タイミングを表示し、操作者に認知させる。
【００４５】
入力部１２５は、画面上のタッチパネルやキーＳＷなどであり、本実施形態では計測データ画面の異音データ部分をタッチして指示するなど、操作者の指示を入力する。
【００４６】
計測部１２６は、音を計測するマイクや音源制御素子など、または振動を計測する加速度センサなどで構成されている。
【００４７】
図４に、従来の携帯端末１２０での計測データの表示画面の一例を示す。なお、以下の説明では計測対象が音である場合について説明する。
【００４８】
計測データの時間変化を画面上にグラフで表示し、操作者に見やすくしている。表示方法については、携帯端末１２０の画面やアプリケーションなどで、各種の異なる表示方法があるが、本実施形態では、計測対象である音の時間変化がわかる表示であれば、どのような表示であっても良い。また、図５では、総音量のデータとなっているが、ＦＦＴ処理による周波数毎の時間変化であったり、振動などの振動量や振動周波数などの時間変化でも同様である。図５では、時間変化のみ表示しているため、ＭＦＰ１００の画像形成動作のどの動作状態の時にどの音量となっているのかまで表示されておらず、このため、操作者がＭＦＰ１００の動きとその時の計測データを見比べて動作を判断するしかなく、異音要因の特定には不十分な点がある。
【００４９】
そこで、この問題を解決するためこの実施形態では、携帯端末１２０は、ＭＦＰ１００の所定の動作状態を示す同期情報を用い、計測データとＭＦＰ１００の動作とを時間的に同期させる。
【００５０】
図５は、携帯端末１２０による計測データとＭＦＰ１００の動作とを同期させる方法の一例を説明するための図である。この例では、ＭＦＰ１００から携帯端末１２０に画像形成動作の開始を示す同期情報を送信し、携帯端末１２０は同期情報の受信を契機として計測を開始し、計測データとＭＦＰ１００の動作とを同期させるように構成されている。
【００５１】
サービスマンやユーザー等の操作者が、計測のための画像形成動作の条件を設定したのち（ステップＮ０１）、ＭＦＰ１００から計測を行う携帯端末１２０を呼び出し、計測動作を要求する（ステップＮ０２）。携帯端末１２０から計測動作可能である旨の応答がなされると（ステップＮ０３）、計測の同期をとる処理を進める。ここで、携帯端末１２０の呼び出しは、ＭＦＰ１００やセンターの管理装置にサービスマン用として予め登録された携帯端末１２０の識別情報を呼び出す場合や、計測動作を行うことを呼び出し近傍にいる操作者の携帯端末１２０が対応可能な応答で処理を進める場合や、ＭＦＰ１００の操作者が携帯端末１２０の識別情報を入力する場合などがある。携帯端末１２０から応答があれば、ＭＦＰ１００は携帯端末１２０に機種情報を要求し（ステップＮ０４）、その回答により（ステップＮ０５）、機種情報を把握する。機種情報は、携帯端末１２０の機種情報や搭載機能の有無や搭載機能の特性や計測アプリケーションの特性などを含んでおり、事前に必要な情報を予め登録しており、それらを携帯端末１２０に要求することで、ＭＦＰ１００が入手し、計測動作に対応する。
【００５２】
次にＭＦＰ１００は、実際に計測が可能なことが判断できれば、携帯端末１２０に計測アプリケーションを計測待機状態にするよう要求する（ステップＮ０６）。ここで、要求には、計測アプリケーションの起動指示や未インストールの場合のＷＥＢサイトからの指定アプリケーションのダウンロード指示とインストール指示なども含んでおり、計測が可能な状態までのセットアップの要求をしている。
【００５３】
携帯端末１２０から計測アプリケーションの計測待機の通知があれば（ステップＮ０７）、ＭＦＰ１００は、画像形成動作条件を携帯端末１２０に通知する（ステップＮ０８）。具体的には、計測の対象となる動作を行う動作部品についての情報や、動作中や動作後に逐次動作状態を送信する動作部品についての情報を送信する。ここでの動作部品の情報は、予め計測時の画像形成動作やある程度概略の要因の絞り込みなどの情報に基づき、予め設定されており、最低限これらの動作部品の情報を送信する。これは、送信データ量を減らし、通信の負荷を減らしたり、携帯端末１２０側の処理負担を減らしたり、記憶領域を減らす等のためである。なお、これ以外にも、動作部品は操作者が指定することも可能である。
【００５４】
画像形成動作条件を受信した携帯端末１２０は、それらの条件を記憶したりセンターの管理装置へ送信したり、あるいは表示等を行うために必要な初期設定を実施した後、待機中であることを応答する（ステップＮ０９）。
【００５５】
これら一連のやり取りにより、ＭＦＰ１００は携帯端末１２０が計測可能であると判断すると、例えば操作パネル部１にスタートボタンを押すようにメッセージを表示する。操作者がスタートボタンを押すと（ステップＮ１０）、ＭＦＰ１００は画像形成動作を開始するとともに、携帯端末１２０に動作開始（計測開始指示）を示す同期情報を送信し（ステップＮ１１）、携帯端末１２０は同期情報の受信を契機として計測を開始するとともに、計測の開始とＭＦＰ１００の動作開始とを関連付けて同期させる。携帯端末１２０からは計測が開始されていることがＭＦＰ１００へ通知される（ステップＮ１２）。
【００５６】
このような処理により、携帯端末１２０において、図５の下側の図に示すように、計測の開始とＭＦＰ１００の画像形成動作の開始が同期する結果、ＭＦＰ１００の各部が時間の経過に応じて図５の上側の図に示すように動作しても、計測データとＭＦＰ１００の動作とを同期した状態で把握でき、同期した状態では取り扱うことができる。従って、操作者は、故障による異常音や異常振動等がどの動作状態の時に発生しているかを容易に特定し把握することができる。
【００５７】
なお、詳細な説明は省略するが、何らかの要因で計測が同期して実施されない場合もあり、その場合は画像形成動作を停止したり、画像形成動作のみ継続し計測未実施を表示するといった各種の対応が行われる。
【００５８】
図６は、図５で説明したようなＭＦＰ１００から携帯端末１２０に送信される、同期情報としての画像形成動作の開始情報に基づいて、携帯端末１２０による計測データとＭＦＰ１００の画像形成動作を同期させる場合の、ＭＦＰ１００の処理を説明するためのフローチャートである。
【００５９】
同期処理を行うサブルーチンが呼び出されると、ステップＳ１３０で計測のための画像形成動作の要求の有無を確認する。要求が無ければ（ステップＳ１３０でＮＯ）、リターンする。要求があれば（ステップＳ１３０でＹＥＳ）、ステップＳ１３１で、携帯端末１２０が計測待機状態になるまでスタート待機状態であることを操作者に知らせるメッセージを操作パネル１１１に表示する。
【００６０】
ステップＳ１３２で計測開始指示待ちかどうか確認し、計測開始指示待ちでなければ（ステップＳ１３２でＮＯ）、リターンする。計測開始指示待ちであれば（ステップＳ１３２でＹＥＳ）、ステップＳ１３３で画像形成動作の待機解除と動作可能を表示し、スタート待ちとなる。ステップＳ１３４では画像形成動作のスタートボタンが押されたか（スタート入力がオンか）を判断し、押されなければ（ステップＳ１３４でＮＯ）、リターンする。押されると（ステップＳ１３４でＹＥＳ）、ステップＳ１３５で、画像形成動作を開始し携帯端末１２０に計測開始を指示する。
【００６１】
次いでステップＳ１３６で、携帯端末１２０が同期して計測が実施されたかどうかを調べ、実施されていれば（ステップＳ１３６でＹＥＳ）、ステップＳ１３７で画像形成動作状態のフラグをセットする。実施されていなければ（ステップＳ１３６でＮＯ）、ステップＳ１３８で、計測同期不良状態のフラグをセットする。
【００６２】
図７は、図５で説明したようなＭＦＰ１００から携帯端末１２０に送信される、同期情報としての画像形成動作の開始情報に基づいて、計測データとＭＦＰ１００の動作を同期させる処理を行う場合の、携帯端末１２０の処理を説明するためのフローチャートである。この処理は携帯端末１２０のシステムＣＰＵ１２１が記憶部１２２等に格納された動作プログラムに従って動作することにより実行される。
【００６３】
ステップＳ１０１で、ＭＦＰ１００から待機指示があるかどうかを調べ、なければ（ステップＳ１０１でＮＯ）、処理を終了する。あれば（ステップＳ１０１でＹＥＳ）、ステップＳ１０２で、ＭＦＰ１００に待機通知を行ったのち、ステップＳ１０３で、ＭＦＰから同期情報を受信したかどうかを判断する。受信していなければ（ステップＳ１０３でＮＯ）、受信するまで待つ。受信すると（ステップＳ１０３でＹＥＳ）、ステップＳ１０４で計測を開始した後、ステップＳ１０５で計測開始とＭＦＰ１００の動作開始を関連付けて記憶部１２２に記憶し、ステップＳ１０６で、計測を開始していることをＭＦＰ１００に通知する。
【００６４】
次いで、ステップＳ１０７で計測の終了かどうかを判断し、終了で無ければ（ステップＳ１０７でＮＯ）、ステップＳ１０８で計測を継続して時間経過毎の計測値を記憶部１２２に記憶したのち、ステップＳ１０７に戻る。計測が終了すると（ステップＳ１０７でＹＥＳ）、処理を終了する。
【００６５】
図８は、携帯端末１２０による計測データとＭＦＰ１００の動作とを同期させる方法の他の例を説明するための図である。この例では、携帯端末１２０からＭＦＰ１００へ同期情報としての動作開始指示情報を送信し、この動作開始指示情報を基にＭＦＰ１００は動作を開始し、携帯端末１２０は動作開始指示情報の送信を契機として計測を開始し、計測データとＭＦＰ１００の動作とを同期させるように構成されている。
【００６６】
画像形成動作の条件設定（ステップＮ０１）、計測動作の要求（ステップＮ０２）。携帯端末１２０からの応答（ステップＮ０３）、ＭＦＰ１００から携帯端末１２０への機種情報の要求（ステップＮ０４）、その回答（ステップＮ０５）、計測アプリケーションの計測待機状態の要求（ステップＮ０６）。計測アプリケーションの計測待機の通知（ステップＮ０７）までは、図６に示した実施形態と同一の手順であるため、同一のステップ番号を付し、説明は省略する。
【００６７】
その後、ＭＦＰ１００は、画像形成動作条件を携帯端末１２０に通知するとともに、自身が待機状態であることを通知する（ステップＮ２８）。画像形成動作条件等を受信した携帯端末１２０は、受信したことをＭＦＰ１００に応答すると共に、それらの条件を記憶したりセンターの管理装置へ送信したり、あるいは表示等を行うために必要な初期設定を実施する（ステップＮ２９）。ＭＦＰ１００は、自身の画像形成動作と携帯端末１２０による計測とを連動して開始することを操作パネル１１１に表示して操作者に知らせる（ステップＮ３０）。
【００６８】
これら一連のやり取りにより、携帯端末１２０はＭＦＰ１００が動作可能であると判断すると、画像形成動作の開始指示情報をＭＦＰ１００に送信する（ステップＮ３１）。この開始指示情報を受信したＭＦＰ１００は画像形成動作を開始する一方、携帯端末１２０は開始指示情報の送信を契機として計測を開始する。ＭＦＰ１００からは動作が開始されていることが携帯端末１２０へ通知される（ステップＮ３２）。
【００６９】
このような処理により、携帯端末１２０において、図８の下側の図に示すように、計測の開始とＭＦＰ１００の画像形成動作の開始が同期する結果、ＭＦＰ１００の各部が時間の経過に応じて図８の上側の図に示すように動作しても、計測データとＭＦＰ１００の動作とを同期した状態で把握することができる。
【００７０】
図９は、図８で説明したような携帯端末１２０からＭＦＰ１００に送信される、同期情報としての画像形成動作の開始指示情報に基づいて、携帯端末１２０による計測データとＭＦＰ１００の画像形成動作を同期させる場合の、ＭＦＰ１００の処理を説明するためのフローチャートである。
【００７１】
同期処理を行うサブルーチンが呼び出されると、ステップＳ１４０で計測のための画像形成動作の要求の有無を確認する。要求が無ければ（ステップＳ１４０でＮＯ）、リターンする。要求があれば（ステップＳ１４０でＹＥＳ）、ステップＳ１４１で、画像形成動作が待機状態であることを操作者に知らせるメッセージを操作パネル１１１に表示する。
【００７２】
ステップＳ１４２で、携帯端末１２０からの画像形成動作の開始指示情報を受信したかどうか確認する。受信していなければ（ステップＳ１４２でＮＯ）、リターンする。受信していると（ステップＳ１４２でＹＥＳ）、ステップＳ１４３で画像形成動作を開始し、動作中であることを携帯端末１２０に通知する。次いでステップＳ１４４で、携帯端末１２０が画像形成動作と同期して計測を実施していることを示すフラグをセットする。
【００７３】
図１０は、図８で説明したような携帯端末１２０からＭＦＰ１００に送信される、同期情報としての画像形成動作の開始指示情報に基づいて、計測データとＭＦＰ１００の動作を同期させる処理を行う場合の、携帯端末１２０の処理を説明するためのフローチャートである。この処理は携帯端末１２０のシステムＣＰＵ１２１が記憶部１２２等に格納された動作プログラムに従って動作することにより実行される。
【００７４】
ステップＳ１１１で、ＭＦＰ１００から待機通知があるかどうかを調べ、なければ（ステップＳ１１１でＮＯ）、処理を終了する。あれば（ステップＳ１１１でＹＥＳ）、ステップＳ１１２で、ＭＦＰ１００に動作開始指示情報を送信したのち、ステップＳ１１３で、計測を開始し、次いでステップＳ１１４で、計測開始とＭＦＰ１００の動作開始を関連付けて記憶部１２２に記憶する。
【００７５】
次に、ステップＳ１１５で計測の終了かどうかを判断し、終了で無ければ（ステップＳ１１５でＮＯ）、ステップＳ１１６で計測を継続したのち、ステップＳ１１５に戻る。計測が終了すると（ステップＳ１１５でＹＥＳ）、処理を終了する。
【００７６】
図１１は、携帯端末１２０による計測データとＭＦＰ１００の動作とを同期させる方法のさらに他の例を説明するための図である。この例では、ＭＦＰ１００の動作開始と同期させるのではなく、ＭＦＰ１００の動作開始から予め設定された時間毎にＭＦＰ１００から送られる予め設定された動作部品の動作状態を示す情報を同期情報とし、携帯端末１２０は同期情報を受け取る毎に、動作部品の動作と計測データを関連付けて同期させるようになっている。
【００７７】
図１１の例では、予め設定された動作部品として、駆動モーター、給紙クラッチ、給紙センサ、タイミングクラッチ、タイミングセンサ等が例示されている。
【００７８】
図５及び図８で示した例と同様に、画像形成動作前に、携帯端末１２０との計測動作要求／機種情報／アプリケーション待機指示／動作条件通知等のやり取りの処理を行った後に、画像形成動作開始時には携帯端末１２０との同期は行わず、画像形成動作開始後、予め設定した所定時間間隔△ｔ毎に、ＭＦＰ１００から携帯端末１２０へ、各動作部品のＯＮ／ＯＦＦ状態など動作状態を示す情報を同期情報として送信する（図１１のステップＮ４１〜Ｎ４７）。
【００７９】
携帯端末１２０側では、受診した動作状態の情報をその時点の計測データと関連付ける。このような同期処理を△ｔ毎に行うことで、一連の計測データが画像形成動作の動作状態と関連付できるため、同期がとれた状態になる。なお、関連付けは、△ｔ毎の同期情報を受信するたびに行っても良いし、一部のみを実施しておき、その同期状態を基に、それ以前の計測データあるいはそれ以降の計測データと動作状態との関連付を△ｔを基準に携帯端末１２０側で爾後的に実施しても良い。なお、少なくとも異音部分の画像形成動作を含む所定の期間は計測を行っていることを前提とする。
【００８０】
図１１で説明したように、ＭＦＰ１００が動作部品の動作状態を示す情報を携帯端末１２０に送信する場合のデータ構成を図１２に示す。
【００８１】
前述したように、計測対象の画像形成モードに応じて予め選択された対象の動作部品に対して、各時刻ｔ０／ｔ１／ｔ２・・・毎に、ＯＮ／ＯＦＦ状態をデータ化するとともに、ＭＦＰ１００のシステムコントローラ１０１が順次通信プロトコルで規定したデータ化を行い、携帯端末１２０へ送信する。なお、動作部品によっては、ＯＮ／ＯＦＦでなくアナログ値などの場合もあるが、その場合は複数ビットのデジタル変換値で規定し、送信するものとする。ここでのデータ化方法は、図１１で示した逐次同期方法のみでなく、画像形成動作の開始時に同期し、画像形成動作のある時点で動作部品の動作状態を示す情報を時系列的に一括して送信する場合も同様である。
【００８２】
図１３は、図１１で説明したようなＭＦＰ１００から携帯端末１２０に送信される、同期情報としての複数の動作部品の動作状態を示す情報に基づいて、携帯端末１２０による計測データとＭＦＰ１００の画像形成動作を同期させる場合の、ＭＦＰ１００の処理を説明するためのフローチャートである。
【００８３】
ステップＳ１５０で携帯端末１２０による計測動作中か否かを調べ、計測動作中でなければ（ステップＳ１５０でＮＯ）、リターンする。計測動作中であれば（ステップＳ１５０でＹＥＳ）、ステップＳ１５１で、前回送信から所定時間△ｔが経過したかどうか判断する。経過していなければ（ステップＳ１５１でＮＯ）、リターンする。経過していれば（ステップＳ１５１でＹＥＳ）、ステップＳ１５２で、計測モード（画像形成動作モード）に応じて予め選定した動作部品の動作状態を読み込み、ステップＳ１５３で携帯端末１２０へ送信するためのデータセットを行う。セットされたデータはその後に携帯端末１２０に送信される。
【００８４】
図１４は、図１１で説明したようなＭＦＰ１００から携帯端末１２０に送信される、同期情報としての複数の動作部品の動作状態を示す情報に基づいて、携帯端末１２０による計測データとＭＦＰ１００の画像形成動作を同期させる場合の、携帯端末１２０の処理を説明するためのフローチャートである。この処理は携帯端末１２０のシステムＣＰＵ１２１が記憶部１２２等に格納された動作プログラムに従って動作することにより実行される。
【００８５】
ステップＳ１２１で計測を開始した後、ステップＳ１２２で、ＭＦＰ１００から動作部品の動作状態を示す情報を受信したかどうかを判断する。受信していなければ（ステップＳ１２２でＮＯ）、ステップＳ１２５で予め設定された所定時間が経過したかどうかを調べ、所定時間が経過していなければ（ステップＳ１２５でＮＯ）、ステップＳ１２２に戻る。所定時間が経過していれば（ステップＳ１２５でＹＥＳ）、処理を終了する。
【００８６】
ステップＳ１２２で、動作部品の動作状態を示す情報を受信していれば（ステップＳ１２２でＹＥＳ）、ステップＳ１２３で、受信した情報を計測データと関連付けて記憶したのち、ステップＳ１２４で計測終了かどうかを判断する。終了で無ければ（ステップＳ１２４でＮＯ）、ステップＳ１２５で計測を継続したのち、ステップＳ１２２に戻る。計測が終了すると（ステップＳ１２４でＹＥＳ）、処理を終了する。
【００８７】
図１５は、図１１で説明した例において、動作状態についての情報を携帯端末１２０に送信する対象となる動作部品の選定方法を説明するための表である。
【００８８】
画像形成動作モード毎に、対象となる動作部品のグループが予め設定されており、異音の発生状況に応じ、何等かの方法でその画像形成動作モードが選択されると、画像形成動作モードに応じた対象動作部品のグループを図１５の表の中から抽出し、それらの動作部品について情報を送信することになる。対象となる動作部品のリストは、ＭＦＰ１００の記憶装置１０６に予め保存されている場合もあれば、計測を行う画像形成動作前にセンターの管理装置における故障診断用のデータベースから検索する場合もある。
【００８９】
図１６は、携帯端末１２０による計測データとＭＦＰ１００の動作とを同期させる方法のさらに他の例を説明するための図である。この例では、図１１で説明した動作部品の動作状態を一定時間毎に逐次送信する方法と異なり、画像形成動作の開始情報のように、同期基準として判定できる動作部品の少なくとも１つまたは複数が、画像形成モード毎に予め設定されており、それらの動作部品の動作の変化を一義的に把握できる動作状態を携帯端末１２０に送信することで、同期の基準となる同期情報として取り扱うものである。ここでは、メインモーターの動作開始タイミングと最初の給紙クラッチの動作タイミングを携帯端末１２０の計測データと同期させることで、以降の時間変化においても同期を可能としている。
【００９０】
画像形成動作の条件設定（ステップＮ０１）、計測動作の要求（ステップＮ０２）。携帯端末１２０からの応答（ステップＮ０３）、ＭＦＰ１００から携帯端末１２０への機種情報の要求（ステップＮ０４）、その回答（ステップＮ０５）、計測アプリケーションの計測待機状態の要求（ステップＮ０６）。計測アプリケーションの計測待機の通知（ステップＮ０７）までは、図５に示した実施形態と同一の手順であるため、同一のステップ番号を付し、説明は省略する。
【００９１】
その後、ＭＦＰ１００は、画像形成動作条件を携帯端末１２０に通知するとともに、自身が待機状態であることを通知する（ステップＮ５８）。画像形成動作条件等を受信した携帯端末１２０は、受信したことをＭＦＰ１００に応答すると共に、それらの条件を記憶したりセンターの管理装置１４０へ送信したり、あるいは表示等を行うために必要な初期設定を実施したのち（ステップＮ５９）、計測を開始する。
【００９２】
計測後、ＭＦＰ１００は図１６の上側の図に示すように、メインモータが起動するとメインモーターの動作開始タイミングを同期情報として携帯端末１２０に送信し（ステップＮ６０）、最初の給紙クラッチの動作タイミングを同期情報として携帯端末１２０に送信する（ステップＮ６１）。
【００９３】
携帯端末１２０は、受信したメインモータの動作開始タイミングや最初の給紙クラッチの動作タイミング等を、計測データの時間変化の中で関連付けて、同期させる。
【００９４】
このような処理により、図１６の下側の図に示すように、計測データの以降の時間変化の同期が可能となる。メインモーターは画像形成中は常時回転しているため、回転開始タイミングや最初の給紙クラッチなどは、その画像形成動作の時間基準とできるものであり、以降の計測動作と画像形成動作の時間変化を関連付けることが可能になる。
【００９５】
図１７に、携帯端末１２０により得られる計測データと、ＭＦＰ１２０の動作部品の動作状態との関連付方法の一例を示す。
【００９６】
計測データの音量データ数値やＦＦＴ処理等による周波数毎の計測レベル等と、ＭＦＰ１００より送信された各動作部品の時間毎の動作状態とを、時間（ｔ１、ｔ２、・・・ｔ２）をパラメータにして関連付ける。このように関連付けて取り扱うことにより、計測データと動作部品の動作状態を例えば表示したとき等に、計測データの時間変化とＭＦＰ１００の動作状態とを容易に判断できることになる。
【００９７】
図１８に、関連付けた計測データとＭＦＰ１２０の動作部品の動作状態の取り扱いの一例を示す。
【００９８】
同図（Ａ）では、図１７で説明したように、携帯端末１２０の記憶部１２２に、計測データとＭＦＰ１２０側の動作状態とを関連付けて記憶することで、計測後も計測データが画像形成動作のどのような状態での結果であるかが容易に判断できることになる。
【００９９】
同図（Ｂ）では、携帯端末１２０で関連付けた計測データと画像形成動作モード情報と対象の動作部品の状態の情報をセンターの管理装置１４０に送信し、センターの管理装置１４０側で故障解析やデータベースとして保管管理し、あるいは表示する。管理装置１４０はパーソナルコンピュータによって構成されている。
【０１００】
同図（Ｃ）では、携帯端末１２０の表示部１２４の画面上に、計測データと動作部品の動作状態を関連付けて表示している。
【０１０１】
図１９に、携帯端末１２０により得られる計測データと、ＭＦＰ１２０の動作部品の動作状態との関連付方法の他の例を示す。
【０１０２】
計測データの音量データ数値やＦＦＴ処理等による周波数毎の計測レベル等と、ＭＦＰ１００より送信された各動作部品の時間毎の動作状態とを、「計測結果ＤＡＴＡ＿Ｓ１」と「計測結果ＤＡＴＡ＿Ｔｍ１」という別々のデータ群としてそれぞれ所定の時間単位（ｔ１、ｔ２、・・・ｔ２）で取扱い、これらのデータ群の関連付と同期基準となる基準時刻（ｔ０）の関連付を別途行うことにより、一連の計測データと動作部品の動作状態を関連付ける。この場合、前述の同期基準の時刻（ｔ０）に基づき、その後の取り扱い時に、再度時刻毎の関連付の処理を実施して、センターの管理装置１４０での取り扱いや表示の処理を行うものとしても良い。
【０１０３】
なお、センターの管理装置１４０への送信時などは、画像形成動作モードや対象のＭＦＰ１００の識別情報など、計測データや動作部品情報以外に必要な一連の関連情報も同時に送信することを前提としている。
【０１０４】
図２０に、携帯端末１２０により得られる計測データと、ＭＦＰ１２０の動作部品の動作状態を、時間変化に応じて表示する方法の一例を示す。
【０１０５】
図２０では、画面内の上部に計測データである音の時間変化をグラフで表示し、その同一の時間軸に、ＭＦＰ１００の動作部品の動作状態を予め決められたＯＮ／ＯＦＦ表示方法により、表示している。このように表示することによって、破線丸印で示す異音と判断される異常箇所において、動作部品の状態から判断し、例えば用紙がガイド位置に突入しているタイミングであることが判断でき、その時の異音であることが容易に判断できる。なお、表示方法は一例であり、携帯端末１２０の画面条件やアプリケーションの工夫等により、見やすい画面構成で表示したり操作性の良い状態で表示することも可能となる。
【０１０６】
図２１に、携帯端末１２０により得られる計測データと、ＭＦＰ１２０の動作部品の動作状態を、時間変化に応じて表示する方法の他の例を示す。
【０１０７】
図２１では、計測データの時間変化のみ表示し、破線丸印で示す異音と判断される異常箇所において画面部をタッチ等で指示する。携帯端末１２０は画面上のタッチ入力の座標から、計測データのどの時点を指示しているかを判定可能であるため、その時点の計測データに関連付けられた動作部品の動作状態の情報をポップアップ画面等で表示している。これにより、操作者は見やすい画面構成で動作部品の動作状態を判断できるから、例えば用紙がガイド位置に突入しているタイミングであること等を判断でき、その時の異音であることを容易に判断できる。
【０１０８】
図２２に、ＭＦＰ１００の動作部品の動作状態に追加して、画像形成動作の信号状態、例えば用紙の位置情報や機構部の動作を算出するための算出式をも関連付けて取り扱う場合の一例を示す。
【０１０９】
図２２では、用紙位置の算出式が関連付けられている場合を示す。算出式に用いられる、ＭＦＰ１００の用紙搬送経路長、用紙搬送速度等のパラメータは、事前に設定されている設定値である。計測が行われる画像形成モードでの用紙サイズ長や、各動作部品の動作状態（ＯＮ／ＯＦＦの変化状態の時刻など）から、用紙位置は予め決められた算出式で算出可能であり、ＭＦＰ１００はそれらを画像形成モード毎に関連付けて記憶しておく。
【０１１０】
そして、携帯端末１２０による計測時に、ＭＦＰ１００は算出式に用いる設定値と算出式を携帯端末１２０に送信し、ＭＦＰ１００から各動作部品の動作状態についての情報が送信されてくる度に、携帯端末１２０は算出式を用いて用紙先端位置を算出し、計測データ、各動作部品の動作状態と関連付けて記憶する。
【０１１１】
なお、携帯端末１２０から、動作部品の動作状態を示す情報や用紙算出式等の情報を、センターの管理装置１４０に送信し、センターの管理装置１４０で用紙位置などの動作進行状態を算出し、動作部品の動作状態等と関連付けて、携帯端末１２０に返送する方法なども可能であり、この場合は携帯端末１２０の処理負担を減らすこともできる。
【０１１２】
なお、図２２の例では、用紙位置について記載したが、ＭＦＰ１００においては例えば、画像読み取り部の読み取り位置や後処理装置のステープル位置など特定の機構部の動作の時間変化を算出し、異音箇所の特定を容易にするなど、同様な方法で可能である。
【０１１３】
図２３に、計測データとＭＦＰ１００の動作部品の動作状態に追加して、用紙位置情報や機構部の動作状態を表示する方法の一例を示す。
【０１１４】
計測データの時間軸でのグラフに対して、動作部品の動作状態をグラフで示すとともに、用紙の先端位置や後端位置の時間変化をグラフにて示している。なお、図示していないが、用紙位置を判断できるＭＦＰ１００のローラー位置等のレイアウトの情報も表示しても良く、用紙位置のグラフから用紙位置を判断できる。これにより、破線丸印で示す異音と判断される異常箇所で、用紙先端および後端がＭＦＰ１００上のどの位置にあるか容易に判断でき、用紙が例えばガイドに突入している要因であることが容易に判断できる。なお、用紙位置の表示方法は、携帯端末１２０の画面条件やアプリケーションの工夫等により、見やすい画面構成で表示したり動画等で表示することも可能である。
【０１１５】
図２４は、計測データと動作部品の動作状態との関連付に基づいて、故障要因を判定し表示する方法の一例を示す図である。
【０１１６】
同図（Ａ）に示すように、携帯端末１２０は、関連付けた計測データと動作手段の動作状態を、センターの管理装置１４０に送信する。センターの管理装置１４０側では、各種の故障要因を特定するための判断基準となる音データのデータベースと接続されており、それらのデータベースから故障要因毎の音データを検索等により抽出可能となっている。センターの管理装置１４０側では、携帯端末１２０から送信された計測データ、画像形成動作モード、ＭＦＰ１００の情報、動作部品等の各種の情報から、候補となる故障要因のデータをデータベースより抽出するとともに、動作部品の動作状態の時間変化を基に、計測データである音データと、抽出した候補データを同期をとって比較することで、計測データとデータベースの音データとの差異により、異音箇所の時間軸での絞り込みとデータベースからの故障要因を判定し、携帯端末１２０から送信された計測データに、さらに異音判定時刻とその故障要因を関連付けて、携帯端末１２０へ返信する。これにより、携帯端末１２０側で、計測データに対する異音データとその要因特定とが関連付けができることになる。図２４（Ｂ）の例では、ｔ４における異音データと故障要因１とが関連付けられている。
【０１１７】
このような関連付けにより、計測データと動作部品の動作状態とを携帯端末１２０の表示部１２４に表示させたときに、図２５に示すように、計測データにおける破線丸印で示す異常箇所における異音の要因が故障要因１であることが、計測データの表示と同時に画面上に表示され、故障箇所の特定を容易にしている。
【０１１８】
このように、この実施形態によれば、被診断装置であるＭＦＰ１００の所定の動作状態を示す同期情報に基づいて、携帯端末１２０の計測部１２６により得られた計測データがＭＦＰ１００の動作と時間的に同期した状態で取り扱われるから、操作者は、故障による異常音や異常振動等がどの動作状態の時に発生しているかを容易に特定し把握することができる。
【０１１９】
以上、本発明の複数の実施形態を説明したが、本発明はこれらの実施形態に限定されることはない。例えば、携帯端末１２０による計測対象がＭＦＰ１００の動作時の音である場合について説明したが、振動やその他の計測対象を計測する構成であっても良い。
【０１２０】
また、異常診断用装置が携帯端末１２０である場合を説明したが、ＭＦＰ等の被診断装置が異常診断用装置の構成を備えていても良い。
【符号の説明】
【０１２１】
１００  被診断装置（画像形成装置）
１０１  システムコントローラ
１０３  通信部
１１１  操作パネル
１２０  異常診断用装置（携帯端末装置）
１２１  ＣＰＵ
１２２  記憶部
１２３  通信部
１２４  表示部
１２６  計測部
【図１】
2019110392.tif 000003
【図２】
2019110392.tif 000004
【図３】
2019110392.tif 000005
【図４】
2019110392.tif 000006
【図５】
2019110392.tif 000007
【図６】
2019110392.tif 000008
【図７】
2019110392.tif 000009
【図８】
2019110392.tif 000010
【図９】
2019110392.tif 000011
【図１０】
2019110392.tif 000012
【図１１】
2019110392.tif 000013
【図１２】
2019110392.tif 000014
【図１３】
2019110392.tif 000015
【図１４】
2019110392.tif 000016
【図１５】
2019110392.tif 000017
【図１６】
2019110392.tif 000018
【図１７】
2019110392.tif 000019
【図１８】
2019110392.tif 000020
【図１９】
2019110392.tif 000021
【図２０】
2019110392.tif 000022
【図２１】
2019110392.tif 000023
【図２２】
2019110392.tif 000024
【図２３】
2019110392.tif 000025
【図２４】
2019110392.tif 000026
【図２５】
2019110392.tif 000027